(57)【要約】      （修正有）【課題】外部から衝撃を受けても容易に外れることがなく、オスコネクタとメスコネクタが離脱できなくなったり、ひび割れが発生することのない接続部材及び医療用具を提供すること。【解決手段】オスコネクタ２のテーパー状突起部３を、メスコネクタ１５のテーパー状管状体１７に挿入し、メスコネクタ１５の係止部１８を固定具１０の螺合部１１に係止して、さらに固定具１０を回転させて、オスコネクタ２とメスコネクタ１５の接合部を外周から締め付ける際に、固定具１０の係止部１２がオスコネクタ２の第二の係止部５を乗り越えて、オスコネクタ２の溝部６に係止できるようにした接続部材１。【選択図】図２
0003109333.tif 000002
【実用新案登録請求の範囲】
【請求項１】
オスコネクタ（２）と固定具（１０）とメスコネクタ（１５）から構成され、
オスコネクタ（２）は、前方部にテーパー状突起部（３）、中間部に第一の係止部（４）、後方部にチューブ接続部（７）を形成し、
第一の係止部（４）とチューブ接続部（７）の間に第二の係止部（５）を形成し、
前記第一の係止部（４）と第二の係止部（５）の間に、固定具（１０）の係止部（１２）を係止できる溝部（６）を形成し、
前記第二の係止部（５）の高さを、前記第一の係止部（４）の高さより低く形成し、
前記メスコネクタ（１５）は、後方部に前記オスコネクタ（２）のテーパー状突起部（３）が挿入可能なテーパー状管状体（１７）、前方部にチューブ接続部（１６）、後方部の外周に係止部（１８）を形成し、
前記固定具（１０）は、内壁面に螺合部（１１）が形成され、後端内壁面に係止部（１２）が形成され、
前記固定具（１０）は、前記オスコネクタ（２）ないしオスコネクタ（２）後方部に接続されたチューブ（Ｔ）の途中に遊嵌され、
オスコネクタ（２）のテーパー状突起部（３）を、メスコネクタ（１５）のテーパー状管状体（１７）に挿入し、メスコネクタ（１５）の係止部（１８）を固定具（１０）の螺合部（１１）に係止して、さらに固定具（１０）を回転させて、オスコネクタ（２）とメスコネクタ（１５）の接合部を外周から締め付ける際に、固定具（１０）の係止部（１２）がオスコネクタ（２）の第二の係止部（５）を乗り越えて、オスコネクタ（２）の溝部（６）に係止できるようにしたことを特徴とする接続部材（１）。
【請求項２】
前記オスコネクタ（２）の第二の係止部（５）の表面は、固定具（１０）の係止部（１２）が乗り越えやすいように、チューブ（Ｔ）側に向けて下がるテーパー状に形成されていることを特徴とする請求項１に記載の接続部材（１）。
【請求項３】
請求項１に記載の接続部材（１）を含むことを特徴とする医療用具。
【考案の詳細な説明】
【技術分野】
【０００１】
本考案は、固定具（例えばルアーロック）付接続部材（例えばオスコネクタとメスコネクタ）の改良に関する。接続部材の接合部を固定具で締め付けた後も、固定具の締め付けが緩んだり外れることのない接続部材に関する。本願の接続部材は、血液の体外循環回路、カテーテル類、輸液・輸血セット等の医療用具に使用される。
【背景技術】
【０００２】
図６は、現在使用されている接続部材５１とその使用状態図で、オスコネクタ５２とメスコネクタ６５を接合し、メスコネクタ６５の後方部に形成した係止部６７を固定具６０の内壁面に形成した螺合部６１に係止して、固定具６０を回転させて、螺合部６１により接合部の外周から締め付けて固定するようにしている。
このように固定部材６０を、回転させて、その螺合部６１により、接合部の外周を締め付けているので、（Ａ）締め付けが緩すぎると、衝撃で逆方向に回転して、簡単にはずれてしまうことがあった。（Ｂ）逆に締め付ける力が強すぎるとオスコネクタとメスコネクタが離脱できなくなったり、ひび割れが発生する等の難点があった。
【０００３】
また特許文献１に、オスコネクタと固定具とメスコネクタから構成される接続具の発明が記載されている。
特許文献１は、固定具の後端の係止部を、オスコネクタの係止部（ストッパ）付近に形成された段部（溝）に回転できるように嵌合したもので、固定具を正逆回転することにより、オスコネクタ２とメスコネクタ１５を取り外しできるようにしているものである。
また特許文献２には、オスコネクタとメスコネクタを接続するときに、これらの接合部に固定部を回転して固定し、メスコネクタをオスコネクタから取りはずすとき、固定部を逆回転し、固定部が離脱しないように固定部の係止部を、オスコネクタの係止部に係止するようにしたものである。
しかしながら、特許文献１、特許文献２に記載の発明では、前記課題（Ａ）、（Ｂ）を解決することができない。
【特許文献１】実開昭６２−１１６７４０号公報（第１図、第２図）
【特許文献２】特表２００４−５２３２７６号公報（第１図〜第４図）
【考案の開示】
【考案が解決しようとする課題】
【０００４】
解決しようとする問題点は、（Ａ）締め付けが緩すぎると、衝撃で逆方向に回転して、簡単にはずれてしまうことがある。（Ｂ）逆に締め付ける力が強すぎるとオスコネクタとメスコネクタが離脱できなくなったり、ひび割れが発生する点である。
【課題を解決するための手段】
【０００５】
そこで本考案者は以上の課題を解決するために、鋭意検討を重ねた結果次の考案に到達した。
［１］本考案は、オスコネクタ（２）と固定具（１０）とメスコネクタ（１５）から構成され、
オスコネクタ（２）は、前方部にテーパー状突起部（３）、中間部に第一の係止部（４）、後方部にチューブ接続部（７）を形成し、
第一の係止部（４）とチューブ接続部（７）の間に第二の係止部（５）を形成し、
前記第一の係止部（４）と第二の係止部（５）の間に、固定具（１０）の係止部（１２）を係止できる溝部（６）を形成し、
前記第二の係止部（５）の高さを、前記第一の係止部（４）の高さより低く形成し、
前記メスコネクタ（１５）は、後方部に前記オスコネクタ（２）のテーパー状突起部（３）が挿入可能なテーパー状管状体（１７）、前方部にチューブ接続部（１６）、後方部の外周に係止部（１８）を形成し、
前記固定具（１０）は、内壁面に螺合部（１１）が形成され、後端内壁面に係止部（１２）が形成され、
前記固定具（１０）は、前記オスコネクタ（２）ないしオスコネクタ（２）後方部に接続されたチューブ（Ｔ）の途中に遊嵌され、
オスコネクタ（２）のテーパー状突起部（３）を、メスコネクタ（１５）のテーパー状管状体（１７）に挿入し、メスコネクタ（１５）の係止部（１８）を固定具（１０）の螺合部（１１）に係止して、さらに固定具（１０）を回転させて、オスコネクタ（２）とメスコネクタ（１５）の接合部を外周から締め付ける際に、固定具（１０）の係止部（１２）がオスコネクタ（２）の第二の係止部（５）を乗り越えて、オスコネクタ（２）の溝部（６）に係止できるようにした接続部材（１）を提供する。
［２］本考案は、前記オスコネクタ（２）の第二の係止部（５）の表面は、固定具（１０）の係止部（１２）が乗り越えやすいように、チューブ（Ｔ）側に向けて下がるテーパー状に形成されている［１］に記載の接続部材（１）を提供する。
［３］本考案は、［１］に記載の接続部材（１）を含む医療用具を提供する。
【考案の効果】
【０００６】
オスコネクタ２とメスコネクタ１５の接合部を外周から締め付ける際に、固定具１０の係止部１２がオスコネクタ２の第二の係止部５を乗り越えて、オスコネクタ２の溝部６に係止できるようにしているので、固定具１０は、オスコネクタ２とメスコネクタ１５の接合部に完全に固定され、容易に緩んだり、前後に移動しない。これにより外部から衝撃を受けても容易に外れない。
また係止部１２が第二の係止部５を乗り越える時に、カチッと音がし、固定具１０の回転限度が感じられるので、使用者はそれ以上、固定具１０を締め付けることがない。よって締め付ける力が強すぎて、オスコネクタとメスコネクタが離脱できなくなったり、ひび割れが発生することがない。
【考案を実施するための最良の形態】
【０００７】
図１は本考案の接続部材１を構成するオスコネクタの概略図、図２（Ａ）から（Ｆ）は本考案の接続部材１の使用方法の一例を示す概略図、図３は図２（Ｃ）の拡大図、図４は図２（Ｄ）の拡大図、図５は図２（Ｅ）の拡大図である。
【０００８】
本考案の接続部材１は、オスコネクタ２と固定具１０とメスコネクタ１５から構成される。
［オスコネクタ］
オスコネクタ２は、前方部にテーパー状突起部３、中間部に第一の係止部４、後方部にチューブ接続部７を形成している。
第一の係止部４とチューブ接続部７の間に第二の係止部５を形成し、前記第一の係止部４と第二の係止部５の間に、固定具１０の係止部１２を係止できる溝部６を形成している。
前記第二の係止部５の高さを、前記第一の係止部４の高さより低く形成し、固定具１０の係止部１２が乗り越えて、当該係止部１２が溝部６に係止できるように形成している。第二の係止部５の表面は、係止部１２が乗り越えやすいようにチューブＴ側に向けて下がるテーパー状に形成されている。
第一の係止部４はテーパー状突起部３をメスコネクタ１５のテーパー状管状体１７に挿入するときに、係止部１２が乗り越えて、固定具１０が前方に移動するのを防ぐストッパの役割を果たす。
【０００９】
［固定具１０］
固定具１０は、内壁面に螺合部１１が形成され、後端内壁面に係止部１２が形成されている。螺合部１１は、メスコネクタ１５の係止部１８に係止される。
固定具１０は、オスコネクタとメスコネクタの接合部を外側から覆って固定できるものであれば何でも採用することができる。例えばルアーロック（ロックナットともいう）等を使用することができる。
［メスコネクタ１５］
メスコネクタ１５は、後方部に前記オスコネクタ２のテーパー状突起部３が挿入可能なテーパー状管状体１７、前方部にチューブ接続部１６、後方部の外周に係止部１８を形成している。
係止部１８は固定具１０の螺合部１１と係止される。
【００１０】
本考案の接続部材１の使用方法の一例について説明する。
（１）図２（Ａ）、（Ｂ）、（Ｃ）、図３に例示するように、オスコネクタ２の後方部に接続されているチューブＴの途中に遊嵌されている固定具１０を、オスコネクタ２の外周まで移動させ（オスコネクタ２の外周に遊嵌し）、オスコネクタ２のテーパー状突起部３を、メスコネクタ１５のテーパー状管状体１７に挿入し、メスコネクタ１５の係止部１８を固定具１０の螺合部１１に係止する。
（２）さらに図２（Ｄ）、図４に例示するように、固定具１０を回転させて、オスコネクタ２とメスコネクタ１５の接合部を外周から締め付ける際に、固定具１０を回転させると、係止部１２が、若干広がり、第二の係止部５を乗りあげる。
図２（Ｅ）、図５に例示するように、固定具１０をさらに回転させると、固定具１０の係止部１２がオスコネクタ２の第二の係止部５を乗り越えて、オスコネクタ２の溝部６に係止される。その際、係止部１２は第一の係止部４は乗り越えない。
固定具１０の回転を終え、係止部１８が係止部５を乗り越えたとき、カチッと音がし、係止部１８が溝部６に係止される。
これにより、固定具１０の係止部１２は、溝部６に係止されるので、容易に緩んだり後方に移動しない。これにより外部から衝撃を受けても容易に外れない。
（３）図２（Ｆ）に例示するように、固定具１０を逆方向に回転させると、係止部１２は係止部５を乗り越え、固定具１０の螺合部１１とメスコネクタ１５の係止部１８の係止が解除され、オスコネクタ２とメスコネクタ１５を離脱することができる。
【図面の簡単な説明】
【００１１】
【図１】本考案の接続部材１を構成するオスコネクタの概略図
【図２】（Ａ）から（Ｆ）本考案の接続部材１の使用方法の一例を示す概略図
【図３】図２（Ｃ）の拡大図
【図４】図２（Ｄ）の拡大図
【図５】図２（Ｅ）の拡大図
【図６】従来の接続部材の使用方法の一例を示す概略図
【符号の説明】
【００１２】
１  接続部材
２  オスコネクタ
３  （前方部）テーパー状突起部
４  （中間部）第一の係止部
５  第二の係止部
６  溝部
７  （後方部）管状体（チューブ接続部）
１０  固定具（ルアーロック）
１１  螺合部
１２  係止部
１５  メスコネクタ
１６  （前方部）管状体（チューブ接続部）
１７  （後方部）テーパー状管状体
１８  係止部
Ｔ  チューブ
【図１】
0003109333.tif 000003
【図２】
0003109333.tif 000004
【図３】
0003109333.tif 000005
【図４】
0003109333.tif 000006
【図５】
0003109333.tif 000007
【図６】
0003109333.tif 000008